(57)【特許請求の範囲】
【請求項１】
コイルに電流を流すことにより変位するエレベータに備えられる電磁ブレーキのプランジャの変位距離を計測する変位検出器を、所定位置に設置する変位検出器の設置装置において、
前記変位検出器を、その測定部が前記プランジャの表面に対向するように保持する保持手段を備え、
前記保持手段は、前記変位検出器に取り付けられる取り付け部材と、前記プランジャの前記表面に載置され、前記取り付け部材に係合部を介して離脱可能に係合する載置部材とから成り、
前記載置部材を前記取り付け部材に係合している状態から離脱させた際に、前記取り付け部材を、前記載置部材が係合しているときと同等の形態に支持する支持部材を備え、
前記保持手段の前記載置部材は、前記プランジャの前記表面に当接させた平坦部と、この平坦部の一端部から鉛直方向に立設させた立設部とを含むＬ字状ブラケットから成り、
前記取り付け部材は、前記プランジャの変位方向に沿って延設され、前記係合部を介して前記Ｌ字状ブラケットの前記立設部の上に設けられる板状部材から成り、
前記支持部材は、前記保持手段の前記板状部材を支持する屈曲式のスタンド部から成り、
前記板状部材と前記Ｌ字状ブラケットとの前記係合部は、前記板状部材を前記スタンド部に支持させた状態で、前記Ｌ字状ブラケットのみを前記プランジャの前記表面に沿う方向に摺動させることが可能な凸部と凹部の組み合わせから成ることを特徴とする変位検出器の設置装置。
【請求項２】
請求項１に記載の変位検出器の設置装置において、
前記スタンド部は、前記電磁ブレーキの外側ケースに接着される第１マグネットと、前記板状部材に接着される第２マグネットと、一端を前記第１マグネットに固定され、他端を前記第２マグネットに固定され、屈曲可能な支柱部とを含むことを特徴とする変位検出器の設置装置。
【請求項３】
請求項１または２に記載の変位検出器の設置装置において、
前記変位検出器は、前記測定部からレーザ光の照射が可能なものから成り、
前記載置部材に、前記プランジャの変位方向に沿って形成され、前記変位検出器から照射されるレーザ光を前記プランジャの前記表面に導き、その表面における反射光を前記変位検出器の前記測定部に導く貫通穴を形成したことを特徴とする変位検出器の設置装置。
【発明の詳細な説明】
【技術分野】
【０００１】
本発明は、コイルに電流を流すことにより変位するエレベータに備えられる電磁ブレーキのプランジャの変位距離を計測する変位検出器を、所定位置に設置する変位検出器の設置装置に関する。
【背景技術】
【０００２】
一般的なエレベータでは、乗客を運ぶ乗かごを駆動するモータの回転を停止させる電磁ブレーキが設けられている。この電磁ブレーキは、電磁コイルに電流を流すことでプランジャを、モータの回転が停止する位置まで変位させるように構成されている。したがって、この電磁ブレーキのプランジャの変位距離（ストローク）を定期的に測定し、これが正常な数値であることを診断することは、エレベータの保全作業において重要なものである。
【０００３】
このようなプランジャの変位距離の診断を行う従来技術として、特許文献１に開示されたものがある。この従来技術は、非接触の変位検出器でプランジャのストロークを測定するものであり、機械的に精度良く、且つ保守員の経験に左右されることなく診断可能となっている。
【先行技術文献】
【特許文献】
【０００４】
【特許文献１】特開平０６−３２９３５８号公報
【発明の概要】
【発明が解決しようとする課題】
【０００５】
ところで、前述したプランジャのストロークの測定には、２０μｍ単位の測定精度が要求され、この測定には変位検出器の設置形態が大きく影響する。しかし、前述した従来技術にあっては、この変位検出器の設置形態については考慮がなされておらず、したがって変位検出器の設置形態が望ましいものでないときには、測定精度を悪化させてしまう懸念があった。
【０００６】
本発明は、前述した従来技術における実状からなされたもので、その目的は、エレベータの電磁ブレーキに備えられるプランジャのストロークを測定する変位検出器を、正しい位置に容易に設置することができる変位検出器の設置装置を提供することにある。
【課題を解決するための手段】
【０００７】
前記目的を達成するために、本発明に係る変位検出器の設置装置は、コイルに電流を流すことにより変位するエレベータに備えられる電磁ブレーキのプランジャの変位距離を計測する変位検出器を、所定位置に設置する変位検出器の設置装置において、前記変位検出器を、その測定部が前記プランジャの表面に対向するように保持する保持手段を備え、前記保持手段は、前記変位検出器に取り付けられる取り付け部材と、前記プランジャの前記表面に載置され、前記取り付け部材に係合部を介して離脱可能に係合する載置部材とから成り、前記載置部材を前記取り付け部材に係合している状態から離脱させた際に、前記取り付け部材を、前記載置部材が係合しているときと同等の形態に支持する支持部材を備え、前記保持手段の前記載置部材は、前記プランジャの前記表面に当接させた平坦部と、この平坦部の一端部から鉛直方向に立設させた立設部とを含むＬ字状ブラケットから成り、前記取り付け部材は、前記プランジャの変位方向に沿って延設され、前記係合部を介して前記Ｌ字状ブラケットの前記立設部の上に設けられる板状部材から成り、前記支持部材は、前記保持手段の前記板状部材を支持する屈曲式のスタンド部から成り、前記板状部材と前記Ｌ字状ブラケットとの前記係合部は、前記板状部材を前記スタンド部に支持させた状態で、前記Ｌ字状ブラケットのみを前記プランジャの前記表面に沿う方向に摺動させることが可能な凸部と凹部の組み合わせから成ることを特徴としている。
【０００８】
このように構成した本発明は、プランジャの変位距離を計測するために変位検出器を設置するに際しては、例えば、変位検出器に取り付けられた取り付け部材を係合部を介して載置部材に係合させた状態で、載置部材をプランジャの表面に載置する。この状態で支持部材によって取り付け部材を支持させる。これにより、変位検出器の測定部がプランジャの表面に対向するように、変位検出器は正しい位置に設置される。この状態において載置部材を取り付け部材から離脱させる。このように載置部材を離脱させることにより、電磁ブレーキのプランジャは、載置部材に干渉することなく、変位検出器の測定部に向かって変位可能となる。また、前述のように載置部材を取り付け部材から離脱させた際に、取り付け部材は支持部材によって、載置部材が係合しているときと同等の形態に支持される。すなわち本発明は、保持手段及び支持部材によって、変位検出器を正しい位置に容易に設置することができる。これにより、変位検出器の測定精度を、常に安定した高い測定精度に維持することができる。
【０００９】
また本発明は、少なくとも変位検出器に取り付けられる取り付け部材と、載置部材とに分割することができる。また本発明は、保持手段が、それぞれ形状の単純なＬ字状ブラケットと板状部材から成り、支持部材が製作が比較的容易な屈曲式のスタンド部から成ることから、実用性に富む。また本発明は、変位検出器の測定部をプランジャの表面に対向させた状態で、Ｌ字状ブラケットを板状部材から離脱させる際には、Ｌ字状ブラケットを単にプランジャの表面に沿う方向に摺動させればよいので、このＬ字状ブラケットを簡単に離脱させることができる。このことも当該変位検出器の設置装置の組み立て工数を少なく抑えることに貢献する。
【００１２】
また本発明は、前記発明において、前記スタンド部は、前記電磁ブレーキの外側ケースに接着される第１マグネットと、前記板状部材に接着される第２マグネットと、一端を前記第１マグネットに固定され、他端を前記第２マグネットに固定され、屈曲可能な支柱部とを含むことを特徴としている。
【００１３】
このように構成した本発明は、スタンド部が、入手しやすい第１マグネット、第２マグネット、及び屈曲可能な支柱部から成ることから、このスタンド部の製作が容易である。また、このスタンド部を取り付けるに際しては、第１マグネットを電磁ブレーキの外側ケースに取り付け、第２マグネットを保持手段の板状部材に取り付ければ済むので、このスタンド部の取り付けが簡単である。したがって、当該変位検出器の設置装置の組み立て工数を少なく抑えることができる。
【００１６】
また本発明は、前記発明において、前記変位検出器は、前記測定部からレーザ光の照射が可能なものから成り、前記載置部材に、前記プランジャの変位方向に沿って形成され、前記変位検出器から照射されるレーザ光を前記プランジャの前記表面に導き、その表面における反射光を前記変位検出器の前記測定部に導く貫通穴を形成したことを特徴としている。
【００１７】
このように構成した本発明は、変位検出器の測定部をプランジャの表面に対向させた状態で、変位検出器の測定部からレーザ光を載置部材の貫通穴に照射し、プランジャの表面からの反射光を変位検出器の測定部で測定することにより、変位検出器が正しく設置されていることを容易に確認することができる。
【発明の効果】
【００１８】
本発明は、変位検出器を正しい位置に容易に設置することができる。これにより本発明は、変位検出器の測定精度を、常に安定した高い測定精度に維持することができ、従来技術では見出せない信頼性の高い変位検出器の設置装置を実現させることができる。
【００１９】
また本発明は、少なくとも変位検出器に取り付けられる取り付け部材と、載置部材とに分割することができる。これにより本発明は、持ち運び及び保管が簡単であり、実用性に富む。
【図面の簡単な説明】
【００２０】
【図１】本発明に係る変位検出器の設置装置の一実施形態を示す側面図である。
【図２】本実施形態に備えられる保持手段を示す斜視図である。
【発明を実施するための形態】
【００２１】
以下、本発明に係る変位検出器の設置装置の実施の形態を図に基づいて説明する。
【００２２】
図１は本発明に係る変位検出器の設置装置の一実施形態を示す側面図、図２は本実施形態に備えられる保持手段を示す斜視図である。本実施形態に係る変位検出器の設置装置は、エレベータに備えられる電磁ブレーキのプランジャのストロークを計測する図１に示す変位検出器５を所定位置に設置するものである。
【００２３】
本実施形態は、例えば測定部４からレーザ光の照射が可能な変位検出器５を、その測定部４が電磁ブレーキ１のプランジャ２の表面３に対向するように保持する保持手段を備えている。この保持手段は、変位検出器５に取り付けられる取り付け部材と、プランジャ２の表面３に載置され、取り付け部材に係合部１１を介して離脱可能に係合する載置部材とから成っている。また本実施形態は、前述の載置部材を前述の取り付け部材に係合している状態から離脱させた際に、取り付け部材を、載置部材が係合しているときと同等の形態に支持する支持部材を備えている。
【００２４】
前述した保持手段の載置部材は、例えばプランジャ２の表面３に当接させた平坦部９と、この平坦部９の一端部から鉛直方向に立設させた立設部１０とを含むＬ字状ブラケット７から成っている。また、前述の取り付け部材は、図１の矢印１７で示すプランジャ２の変位方向に沿って延設され、係合部１１を介してＬ字状ブラケット７の立設部１０の上に設けられる板状部材６から成っている。
【００２５】
板状部材６とＬ字状ブラケット７との係合部１１は、例えばＬ字状ブラケット７をプランジャ２の表面３に沿う方向に摺動させることが可能な形状部から成っている。例えばこの係合部１１は、板状部材６の下端に矢印１７方向と直交する方向（図１の紙面と直交する方向）に延設される凸部１１ａと、Ｌ字状ブラケット７の立設部１０の上端に矢印１７方向と直交する方向（図１の紙面と直交する方向）に延設され、凸部１１ａに対して摺動可能に係合する凹部１１ｂとから成っている。
【００２６】
また、Ｌ字状ブラケット７の平坦部９には、矢印１７で示すプランジャ２の変位方向に沿って形成され、変位検出器５の測定部４から照射されるレーザ光を矢印１８で示すようにプランジャ２の表面３に導き、その表面３における反射光を変位検出器５の測定部４に導く貫通穴１６を形成してある。
【００２７】
前述した支持部材は、板状部材６を支持する屈曲式のスタンド部８から成っている。このスタンド部８は、電磁ブレーキ１の外側ケース１２に接着される第１マグネット１３と、板状部材６に接着される第２マグネット１４と、一端を第１マグネット１３に固定され、他端を第２マグネット１４に固定され、屈曲可能な支柱部１５とを含んでいる。
【００２８】
前述のように構成した本実施形態を、プランジャ２の変位距離すなわちストロークを計測するために変位検出器５を設置するに際しては、例えば変位検出器５に取り付けられた板状部材６の凸部１１ａをＬ字状ブラケット７の立設部１０の凹部１１ｂに係合させた状態で、Ｌ字状ブラケット７の平坦部９をプランジャ２の表面３に載置する。この状態でスタンド部８によって板状部材６を支持させる。すなわち、スタンド部８の第１マグネット１３を電磁ブレーキ１の外側ケース１２に接着させ、支柱部１５を適宜屈曲させて第２マグネット１４を板状部材６に接着させる。これにより変位検出器５は正しい位置に設置される。
【００２９】
なお、この状態において、変位検出器５の測定部４からレーザ光をＬ字状ブラケット７の平坦部９の貫通穴１６に向かって照射した際に、プランジャ２の表面３の反射光が変位検出器５の測定部４で計測されれば、変位検出器５が正しい位置に設置されたことを容易に確認することができる。
【００３０】
このような状態において、Ｌ字状ブラケット７のみをプランジャ２の表面３に沿って摺動させることにより、Ｌ字状ブラケット７を板状部材６から離脱させることができる。このようにＬ字状ブラケット７を離脱させることにより、電磁ブレーキ１のプランジャ２は、Ｌ字状ブラケット７に干渉することなく、変位検出器５の測定部４に向かって矢印１７で示すように変位可能な状態となる。このようにＬ字状ブラケット７を離脱させた際に、板状部材６はスタンド部８によって、Ｌ字状ブラケット７が係合しているときと同等の形態に支持される。
【００３１】
このように変位検出器５がプランジャ２の表面３に対して正しい位置に設置された状態において、プランジャ２のストロークが正常な数値であるかどうかを診断するには、例えば電磁ブレーキ１のコイルに通電させない状態において、変位検出器５の測定部４からレーザ光を照射させ、その反射光に応じて変位検出器５の測定部４とプランジャ２の表面３との距離である第１距離を演算する。次に、電磁ブレーキ１のコイルに通電し、電磁ブレーキ１のプランジャ２をストロークさせ、ストロークが完了した時点における変位検出器５の測定部４とプランジャ２の表面３との距離である第２距離を演算する。ここで、求められた第１距離から第２距離を引いた値がプランジャ２の現実のストロークとなる。このようにして求められたプランジャ２の現実のストロークが、正常と見做される値かどうかが判別される。この判別で、異常と見做される場合には、電磁ブレーキ１の交換等の必要な処置が取られることになる。
【００３２】
以上のように構成した本実施形態によれば、保持手段を構成する載置部材すなわちＬ字状ブラケット７、及び取り付け部材すなわち板状部材６と、支持部材を構成するスタンド部８とによって、変位検出器５を正しい位置に容易に設置することができる。これにより、変位検出器５の測定精度を、常に安定した高い測定精度に維持することができ、信頼性の高い変位検出器の設置装置を実現させることができる。
【００３３】
また本実施形態は、例えば変位検出器５、及びこの変位検出器５に取り付けられる板状部材６と、Ｌ字状ブラケット７と、スタンド部８とに３分割することができる。これにより本実施形態は、持ち運び及び保管が簡単であり、実用性に富む。
【００３４】
また本実施形態は、保持手段が、それぞれ形状の単純なＬ字状ブラケット７と板状部材６から成り、支持部材は製作が比較的容易な屈曲式のスタンド部８から成ることから、この点でも実用性に富む。
【００３５】
また、本実施形態は、スタンド部８が、入手しやすい第１マグネット１３、第２マグネット１４、及び屈曲可能な支柱部１５から成ることから、このスタンド部８の製作が容易である。また、このスタンド部８を取り付けるに際しては、第１マグネット１３を電磁ブレーキ１の外側ケース１２に取り付け、第２マグネット１４を板状部材６に取り付ければ済むので、このスタンド部８の取り付けが簡単である。したがって、当該変位検出器の設置装置の組み立て工数を少なく抑えることができる。
【００３６】
また本実施形態は、変位検出器５の測定部４をプランジャ２の表面３に対向させた状態で、Ｌ字状ブラケット７を板状部材６から離脱させる際には、Ｌ字状ブラケットを単にプランジャ２の表面３に沿う方向に摺動させればよいので、このＬ字状ブラケット７を簡単に離脱させることができる。このことも当該変位検出器の設置装置の組み立て工数を少なく抑えることに貢献する。
【符号の説明】
【００３７】
１    電磁ブレーキ
２    プランジャ
３    表面
４    測定部
５    変位検出器
６    板状部材（取り付け部材）〔保持手段〕
７    Ｌ字状ブラケット（載置部材）〔保持手段〕
８    スタンド部（支持部材）
９    平坦部
１０    立設部
１１    係合部
１１ａ  凸部
１１ｂ  凹部
１２    外側ケース
１３    第１マグネット
１４    第２マグネット
１５    支柱部
１６    貫通穴
１７    矢印
１８    矢印
【図１】
0005529078.tif 000002
【図２】
0005529078.tif 000003